【手続補正書】
【提出日】平成21年6月29日(2009.6.29)
【手続補正１】
【補正対象書類名】特許請求の範囲
【補正対象項目名】全文
【補正方法】変更
【補正の内容】
【特許請求の範囲】
【請求項１】
ショッピングカートから近接スキャンを実行するステップと、
前記スキャンに基づいて、店内の前記カートの位置を判定するステップと、
前記カートの前記位置に基づいて、少なくとも１つの製品広告を表示するステップと、
広告製品の位置を前記カートの前記位置と相関させるステップと、
前記ショッピングカートの前記位置に対する前記広告製品の前記位置の表示を示すステップと、
を含む方法。
【請求項２】
前記広告製品の前記位置の前記表示が、ビデオディスプレイ上で前記広告に隣接して示される、請求項１に記載の方法。
【請求項３】
前記ショッピングカートの前記位置および前記広告製品の前記位置の前記表示が、ビデオディスプレイ上で相互に対して示される、請求項１に記載の方法。
【請求項４】
複数の広告が表示され、前記複数の広告の１つが、店内の前記ショッピングカートの前記位置に基づいて、他の広告より目立つように表示される、請求項１に記載の方法。
【請求項５】
複数の広告が表示され、前記広告の１つが、広告されている前記製品に対する前記ショッピングカートの前記位置に基づいて、他の広告より目立つように表示される、請求項１に記載の方法。
【請求項６】
より目立つように表示される前記広告は、前記カートが前記店の全体を移動するにつれて変化する、請求項５に記載の方法。
【請求項７】
前記広告製品が前記ショッピングカート内にあるか否かを判定するために、前記ショッピングカートの在庫管理をするステップをさらに含む、請求項１に記載の方法。
【請求項８】
一意のＩＤをショッピングカートに関連付けるステップと、
ショッピングカートに取り付けられた在庫構成要素によって前記ショッピングカートの在庫を判定するステップと、
組み込みコンピュータ装置で、前記在庫を前記ショッピングカートの前記一意のＩＤと相関させるステップと、
前記ショッピングカートの前記一意のＩＤ、前記ショッピングカートの前記在庫、および前記在庫と前記一意のＩＤとの前記相関のうち少なくとも１つを小売業者のシステムに伝達するステップと、
を含む方法。
【請求項９】
前記一意のＩＤをＰＯＳシステムに伝達するステップが、ＲＦＩＤタグを介して前記一意のＩＤを伝達するステップをさらに含む、請求項８に記載の方法。
【請求項１０】
前記一意のＩＤをＰＯＳシステムに伝達するステップが、バーコードを介して前記一意のＩＤを伝達するステップをさらに含む、請求項８に記載の方法。
【請求項１１】
前記一意のＩＤをＰＯＳシステムに伝達することが、ラベルを介して前記一意のＩＤを伝達するステップをさらに含む、請求項８に記載の方法。
【請求項１２】
消費者に広告を表示するステップと、前記ショッピングカートの特定の使用中に示される前記広告を、前記ショッピングカートに含まれる前記在庫に匿名で相関させるステップとをさらに含む、請求項８に記載の方法。
【請求項１３】
広告を消費者に表示するステップと、特定の消費者に示された広告を、前記ショッピングカートに含まれる前記在庫に相関させるステップとをさらに含み、前記在庫が、前記在庫構成要素によってスキャンされた製品、および前記在庫構成要素によって前記カート内に存在すると検証された製品のうち少なくとも１つを備える、請求項８に記載の方法。
【請求項１４】
お得意様カードをスキャンするステップをさらに含み、前記特定の消費者と前記ショッピングカートに含まれる前記在庫との前記相関が、消費者ＩＤを介するものであり、前記消費者ＩＤが、お得意様カード、ＰＩＮコードおよび電話番号のうち少なくとも１つを備える、請求項１３に記載の方法。
【請求項１５】
将来の店への訪問中に前記媒体強化されたショッピングカートを介してアクセス可能である前記消費者の買い物リストを作成するステップをさらに含み、前記特定の消費者と前記ショッピングカートに含まれる前記在庫との前記相関が、将来の店への訪問中に前記ショッピングカートを介してアクセス可能な前記消費者の買い物リストを作成するために使用され、前記在庫が、前記在庫構成要素によってスキャンされた製品、および前記在庫構成要素によって前記カート内に存在すると検証された製品のうち少なくとも１つを備える、請求項１３に記載の方法。
【請求項１６】
一意のＩＤをショッピングカートに関連付けるステップと、
前記ショッピングカートに取り付けられた在庫構成要素によって、前記ショッピングカートに含まれる在庫を判定するステップと、
組み込みコンピュータ装置で、前記在庫を前記ショッピングカートの前記一意のＩＤと相関させるステップと、
前記ショッピングカートの前記一意のＩＤを小売業者のシステムに伝達するステップと、
前記ショッピングカートの前記在庫を前記小売業者のシステムに伝達するステップと、
を含む方法。
【請求項１７】
前記一意のＩＤを小売業者のシステムに伝達するステップが、ＲＦＩＤタグを介して前記一意のＩＤをＲＦＩＤリーダに伝達するステップ、バーコードをスキャンするステップ、または前記一意のＩＤ番号を手動で入力するステップをさらに含む、請求項１６に記載の方法。
【請求項１８】
前記小売業者のシステムが、ＰＯＳシステム、消費者ロイヤルティシステム、またはセキュリティシステムを備える、請求項１６に記載の方法。
【請求項１９】
在庫を判定するステップが、前記製品を前記ショッピングカートに配置し、前記製品の前記ＩＤを記憶して、前記小売業者のシステムに伝達した後、バーコードスキャナでバーコード付き製品をスキャンするステップ、またはＲＦＩＤリーダでＲＦＩＤタグ付き製品を読み取るステップを含む、請求項１６に記載の方法。
【請求項２０】
前記一意のＩＤと前記在庫との前記相関を前記小売業者のシステムに伝達するステップをさらに含む、請求項１６に記載の方法。
【請求項２１】
ショッピングカートに含まれる在庫を前記ショッピングカートに取り付けられた在庫構成要素で判定するステップと、
前記ショッピングカートに取り付けられたビデオディスプレイに、１つまたは複数の購入する製品を含む買い物リストを表示するステップと、
前記リストのどの製品が前記ショッピングカート内にあるかを判定するために、前記カートに取り付けられた組み込みコンピュータ装置によって、前記ショッピングカートに含まれる前記在庫を前記買い物リストに相関させるステップと、
前記在庫および前記買い物リストを小売業者のシステムに伝達するステップと、
を含む方法。
【請求項２２】
前記在庫が、ＲＦＩＤかごスキャナおよびバーコードスキャナのうち少なくとも１つを備える、請求項２１に記載の方法。
【請求項２３】
製品を前記ショッピングカートに配置した時に、前記買い物リストに前記製品のチェックを付けるステップをさらに含む、請求項２１に記載の方法。
【請求項２４】
前記消費者によって選択された１つまたは複数の製品に基づいて前記買い物リストを作成するステップをさらに含む、請求項２１に記載の方法。
【請求項２５】
消費者識別子を介して前記消費者によって選択された前記製品を関連付けるステップをさらに含み、前記消費者識別子が、お得意様カード、ＰＩＮコードおよび郵便番号のうち少なくとも１つを備える、請求項２４に記載の方法。
【請求項２６】
前記在庫構成要素または手動入力によって前記消費者識別子を入力するステップをさらに含む、請求項２５に記載の方法。
【請求項２７】
前記コンピュータモジュールによって１つまたは複数の広告を、前記買い物リストおよび前記ショッピングカートに含まれる前記在庫のうち少なくとも１つと相関させるステップと、
前記１つまたは複数の広告と、前記買い物リスト、前記ショッピングカートに含まれる前記在庫、またはその両方との前記相関に基づいて１つまたは複数の広告を表示するステップと、
をさらに含む、請求項２１に記載の方法。
【請求項２８】
前記ショッピングカートに取り付けられたＲＦＩＤリーダによって、店内の棚、ＳＫＵ、または製品に取り付けられたＲＦＩＤタグを読み取るステップと、
前記ショッピングカートが前記製品の近傍に配置された場合に、前記買い物リストの製品の広告を表示するために、前記組み込みコンピュータ装置によって前記ＲＦＩＤリーダからのデータを前記買い物リストに相関させるステップと、
をさらに含む、請求項２７に記載の方法。
【請求項２９】
前記ＲＦＩＤリーダからのデータに基づいて、前記買い物リストに製品を配置するステップと、前記製品位置を前記ディスプレイに表示するステップと、
をさらに含む、請求項２８に記載の方法。
【手続補正２】
【補正対象書類名】明細書
【補正対象項目名】発明の名称
【補正方法】変更
【補正の内容】
【発明の名称】媒体使用可能な広告用ショッピングカートで情報を消費者に提供する方法
【手続補正３】
【補正対象書類名】明細書
【補正対象項目名】０１５９
【補正方法】変更
【補正の内容】
【０１５９】
したがって、保護範囲は、上記記載によって制限されず、特許請求の範囲によってのみ制限され、その範囲は、特許請求の範囲の主題の全同等物を含む。特許請求の範囲はいずれも全て、本発明のある実施例として本明細書に組み込むものとする。それ故、特許請求の範囲は、さらなる記載であり、本発明の好ましい実施例の追加である。本明細書の参照に関する説明は、それが本発明の先行技術であることを認めるものではなく、特に本明細書の優先日より後の公告日を有する参照文献ではそうである。本明細書で言及した全ての特許、特許出願、および刊行物の開示は、本明細書に記載する例示、手順、または他の詳細に対しての補足になる程度まで、参照により本明細書に組み込まれるものとする。
以下、本発明の実施態様を列挙する。
実施態様１
フレームと、かごと、ハンドルと、ベーストレイと、複数のホイールとを備えるショッピングカートと、
前記ショッピングカートの近接スキャンを実行するための読み取り構成要素と、
前記スキャンに基づいて店内の前記ショッピングカートの位置を判定するための位置決め構成要素と、
前記店内の前記ショッピングカートの前記位置に基づいて、製品の少なくとも１つの広告を表示するための表示構成要素と、
を備え、
前記位置決め構成要素が、前記スキャンに基づいて前記ショッピングカートに対する前記店内の前記製品の位置を判定するようにさらに動作可能であり、
前記表示構成要素が、前記ショッピングカートの前記位置に対して前記広告製品の前記位置の表示を示すようにさらに動作可能である、
媒体強化されたショッピングカートシステム。
実施態様２
前記広告製品の前記位置の前記表示が、前記表示構成要素による前記広告に隣接して配置される、実施態様１に記載の媒体強化されたショッピングカートシステム。
実施態様３
前記ショッピングカートの前記位置および前記広告製品の前記位置が、前記表示構成要素上で相互に対して表示される、実施態様１に記載の媒体強化されたショッピングカートシステム。
実施態様４
前記表示構成要素が複数の広告を備え、前記複数の広告が、店内の前記ショッピングカートの前記位置に基づいて、他の広告より目立つように表示される、実施態様１に記載の媒体強化されたショッピングカートシステム。
実施態様５
前記表示構成要素が、複数の広告を備え、前記広告の１つが、広告されている前記製品に対する前記ショッピングカートの前記位置に基づいて、他の広告より目立つように表示される、実施態様１に記載の媒体強化されたショッピングカートシステム。
実施態様６
より目立つように表示される前記広告は、前記カートが前記店の全体を移動するにつれて変化する、実施態様５に記載の媒体強化されたショッピングカートシステム。
実施態様７
前記読み取り構成要素が、少なくとも１つのかごＲＦＩＤリーダおよび１つまたは複数のＲＦＩＤアンテナを備える、実施態様１に記載の媒体強化されたショッピングカートシステム。
実施態様８
前記読み取り構成要素が、店内の１つまたは複数の対象に取り付けられた複数のＲＦＩＤタグをスキャンする、実施態様７に記載の媒体強化されたショッピングカートシステム。
実施態様９
前記ＲＦＩＤタグが取り付けられた前記対象が、前記店内の棚、装備品、キオスク、柱、冷凍装置、壁、貯蔵所、カウンタおよび製品展示のうち少なくとも１つを備える、実施態様８に記載の媒体強化されたショッピングカートシステム。
実施態様１０
前記ＲＦＩＤタグが取り付けられた前記対象が、前記店内の少なくとも１つのＳＫＵを備える、実施態様８に記載の媒体強化されたショッピングカートシステム。
実施態様１１
前記読み取り構成要素によってスキャンされた在庫商品識別番号（ＳＫＵ）によって、自動的に店のプラノグラムを設計し、管理することができる、実施態様１０に記載の媒体強化されたショッピングカートシステム。
実施態様１２
前記ＲＦＩＤタグが取り付けられた前記対象が、前記店内の少なくとも１つの製品を備える、実施態様８に記載の媒体強化されたショッピングカートシステム。
実施態様１３
前記読み取り構成要素によってスキャンされた前記製品によって、自動的に店の在庫を管理することができる、実施態様１２に記載の媒体強化されたショッピングカートシステム。
実施態様１４
前記ショッピングカートに含まれる在庫を判定するために、前記ショッピングカートに取り付けられた在庫構成要素をさらに備え、前記在庫構成要素が、前記広告製品が前記ショッピングカート内にあるか否かを判定するようにさらに動作可能である、実施態様１に記載の媒体強化されたショッピングカートシステム。
実施態様１５
前記在庫構成要素が、ＲＦＩＤかごスキャナおよびバーコードスキャナの少なくとも一方である、実施態様１４に記載の媒体強化されたショッピングカートシステム。
実施態様１６
ショッピングカートから近接スキャンを実行するステップと、
前記スキャンに基づいて、店内の前記カートの位置を判定するステップと、
前記カートの前記位置に基づいて、少なくとも１つの製品広告を表示するステップと、
広告製品の位置を前記カートの前記位置と相関させるステップと、
前記ショッピングカートの前記位置に対する前記広告製品の前記位置の表示を示すステップと、
を含む方法。
実施態様１７
前記広告製品の前記位置の前記表示が、ビデオディスプレイ上で前記広告に隣接して示される、実施態様１６に記載の方法。
実施態様１８
前記ショッピングカートの前記位置および前記広告製品の前記位置の前記表示が、ビデオディスプレイ上で相互に対して示される、実施態様１６に記載の方法。
実施態様１９
複数の広告が表示され、前記複数の広告の１つが、店内の前記ショッピングカートの前記位置に基づいて、他の広告より目立つように表示される、実施態様１６に記載の方法。
実施態様２０
複数の広告が表示され、前記広告の１つが、広告されている前記製品に対する前記ショッピングカートの前記位置に基づいて、他の広告より目立つように表示される、実施態様１６に記載の方法。
実施態様２１
より目立つように表示される前記広告は、前記カートが前記店の全体を移動するにつれて変化する、実施態様２０に記載の方法。
実施態様２２
前記広告製品が前記ショッピングカート内にあるか否かを判定するために、前記ショッピングカートの在庫管理をするステップをさらに含む、実施態様１６に記載の方法。
実施態様２３
フレームと、かごと、ハンドルと、ベーストレイと、複数のホイールとを備えるショッピングカートと、
前記ショッピングカートに含まれる在庫を判定するための在庫構成要素と、
前記ショッピングカートの一意のＩＤを関連付けるための識別構成要素と、
前記ショッピングカートに含まれる前記在庫を、前記ショッピングカートの前記一意のＩＤと相関させるための組み込みコンピュータ装置の相関構成要素と、
前記在庫と前記ショッピングカートの前記一意のＩＤとの間の前記相関を小売業者のシステムに伝達するための通信構成要素と、
を備える媒体強化されたショッピングカートシステム。
実施態様２４
前記小売業者のシステムが、ＰＯＳシステム、消費者ロイヤルティシステム、またはセキュリティシステムを備える、実施態様２３に記載の媒体強化されたショッピングカートシステム。
実施態様２５
前記識別構成要素が、読み取った場合に前記ショッピングカートの前記一意のＩＤを伝達するＲＦＩＤタグを備える、実施態様２４に記載の媒体強化されたショッピングカートシステム。
実施態様２６
前記識別構成要素が、スキャンした場合に前記ショッピングカートの前記一意のＩＤを伝達するバーコードを備える、実施態様２４に記載の媒体強化されたショッピングカートシステム。
実施態様２７
前記識別構成要素が、前記ショッピングカートの前記一意のＩＤを可視的に伝達するラベルを備える、実施態様２４に記載の媒体強化されたショッピングカートシステム。
実施態様２８
広告を消費者に表示するための表示構成要素をさらに備え、前記相関構成要素が、前記ショッピングカートの特定の使用中に示される広告を、前記ショッピングカートに含まれる前記在庫に匿名で相関させる、実施態様２４に記載の媒体強化されたショッピングカートシステム。
実施態様２９
広告を消費者に表示するための表示構成要素をさらに備え、前記相関構成要素が、特定の消費者に示される広告を前記ショッピングカートに含まれる前記在庫に相関し、前記在庫が、前記在庫構成要素がスキャンした製品、および前記在庫構成要素によって前記カート内に存在すると検証された製品のうち少なくとも１つを備える、実施態様２４に記載の媒体強化されたショッピングカートシステム。
実施態様３０
前記特定の消費者と前記ショッピングカートに含まれる前記在庫との前記相関が、消費者ＩＤを介するものであり、前記消費者ＩＤが、お得意様カード、ＰＩＮコードおよび電話番号のうち少なくとも１つを備える、実施態様２９に記載の媒体強化されたショッピングカートシステム。
実施態様３１
前記ロイヤルティプログラムが、小売商がスポンサになり、顧客が登録するプログラムを備え、前記顧客が、前記小売商への愛顧に対して便宜を得る、実施態様３０に記載の媒体強化されたショッピングカートシステム。
実施態様３２
前記特定の消費者と前記ショッピングカートに含まれる前記在庫との前記相関が、将来の店への訪問中に前記ショッピングカートを介してアクセス可能な前記消費者の買い物リストを作成するために使用される、実施態様３０に記載の媒体強化されたショッピングカートシステム。
実施態様３３
前記ショッピングカートに含まれる前記在庫を受信し、その支払いを処理するための小売商システムをさらに備える、実施態様２３に記載の媒体強化されたショッピングカートシステム。
実施態様３４
前記在庫構成要素が、バーコードスキャナと、１つまたは複数のＲＦＩＤアンテナを備えるＲＦＩＤリーダとのうち少なくとも１つを備える、実施態様３０に記載の媒体強化されたショッピングカートシステム。
実施態様３５
一意のＩＤをショッピングカートに関連付けるステップと、
ショッピングカートに取り付けられた在庫構成要素によって前記ショッピングカートの在庫を判定するステップと、
組み込みコンピュータ装置で、前記在庫を前記ショッピングカートの前記一意のＩＤと相関させるステップと、
前記ショッピングカートの前記一意のＩＤ、前記ショッピングカートの前記在庫、および前記在庫と前記一意のＩＤとの前記相関のうち少なくとも１つを小売業者のシステムに伝達するステップと、
を含む方法。
実施態様３６
前記一意のＩＤをＰＯＳシステムに伝達するステップが、ＲＦＩＤタグを介して前記一意のＩＤを伝達するステップをさらに含む、実施態様３５に記載の方法。
実施態様３７
前記一意のＩＤをＰＯＳシステムに伝達するステップが、バーコードを介して前記一意のＩＤを伝達するステップをさらに含む、実施態様３５に記載の方法。
実施態様３８
前記一意のＩＤをＰＯＳシステムに伝達することが、ラベルを介して前記一意のＩＤを伝達するステップをさらに含む、実施態様３５に記載の方法。
実施態様３９
消費者に広告を表示するステップと、前記ショッピングカートの特定の使用中に示される前記広告を、前記ショッピングカートに含まれる前記在庫に匿名で相関させるステップとをさらに含む、実施態様３５に記載の方法。
実施態様４０
広告を消費者に表示するステップと、特定の消費者に示された広告を、前記ショッピングカートに含まれる前記在庫に相関させるステップとをさらに含み、前記在庫が、前記在庫構成要素によってスキャンされた製品、および前記在庫構成要素によって前記カート内に存在すると検証された製品のうち少なくとも１つを備える、実施態様３５に記載の方法。
実施態様４１
お得意様カードをスキャンするステップをさらに含み、前記特定の消費者と前記ショッピングカートに含まれる前記在庫との前記相関が、消費者ＩＤを介するものであり、前記消費者ＩＤが、お得意様カード、ＰＩＮコードおよび電話番号のうち少なくとも１つを備える、実施態様４０に記載の方法。
実施態様４２
将来の店への訪問中に前記媒体強化されたショッピングカートを介してアクセス可能である前記消費者の買い物リストを作成するステップをさらに含み、前記特定の消費者と前記ショッピングカートに含まれる前記在庫との前記相関が、将来の店への訪問中に前記ショッピングカートを介してアクセス可能な前記消費者の買い物リストを作成するために使用され、前記在庫が、前記在庫構成要素によってスキャンされた製品、および前記在庫構成要素によって前記カート内に存在すると検証された製品のうち少なくとも１つを備える、実施態様４０に記載の方法。
実施態様４３
一意のＩＤをショッピングカートに関連付けるステップと、
前記ショッピングカートに取り付けられた在庫構成要素によって、前記ショッピングカートに含まれる在庫を判定するステップと、
組み込みコンピュータ装置で、前記在庫を前記ショッピングカートの前記一意のＩＤと相関させるステップと、
前記ショッピングカートの前記一意のＩＤを小売業者のシステムに伝達するステップと、
前記ショッピングカートの前記在庫を前記小売業者のシステムに伝達するステップと、
を含む方法。
実施態様４４
前記一意のＩＤを小売業者のシステムに伝達するステップが、ＲＦＩＤタグを介して前記一意のＩＤをＲＦＩＤリーダに伝達するステップ、バーコードをスキャンするステップ、または前記一意のＩＤ番号を手動で入力するステップをさらに含む、実施態様４３に記載の方法。
実施態様４５
前記小売業者のシステムが、ＰＯＳシステム、消費者ロイヤルティシステム、またはセキュリティシステムを備える、実施態様４３に記載の方法。
実施態様４６
在庫を判定するステップが、前記製品を前記ショッピングカートに配置し、前記製品の前記ＩＤを記憶して、前記小売業者のシステムに伝達した後、バーコードスキャナでバーコード付き製品をスキャンするステップ、またはＲＦＩＤリーダでＲＦＩＤタグ付き製品を読み取るステップを含む、実施態様４３に記載の方法。
実施態様４７
前記一意のＩＤと前記在庫との前記相関を前記小売業者のシステムに伝達するステップをさらに含む、実施態様４３に記載の方法。
実施態様４８
フレームと、かごと、ハンドルと、ベーストレイと、複数のホイールとを備えるショッピングカートと、
中央処理装置と、メモリと、無線通信するように構成されたネットワーク送受信機とを備える組み込みコンピュータ装置であって、前記ショッピングカートに取り付けられている組み込みコンピュータ装置と、
前記ショッピングカートに含まれる在庫を判定するための在庫構成要素と、
消費者が購入するために消費者買い物リストの１つまたは複数の製品を一覧表示するための買い物リスト構成要素と、
前記在庫構成要素からのデータを前記買い物リスト構成要素と相関させるための相関構成要素と、
を備える媒体強化されたショッピングカートシステム。
実施態様４９
在庫構成要素によって判定された前記ショッピングカートに含まれる前記在庫の少なくとも１つ、および前記買い物リスト構成要素が一覧表示した購入のための１つまたは複数の製品を表示するための表示構成要素をさらに備える、実施態様４８に記載の媒体強化されたショッピングカートシステム。
実施態様５０
前記表示構成要素は、前記ショッピングカート内に存在する所与の製品が、前記在庫構成要素と前記買い物リスト構成要素との前記相関に基づいて、前記買い物リストにチェックが付けられていることを示す、実施態様４８に記載の媒体強化されたショッピングカートシステム。
実施態様５１
前記在庫構成要素が、ＲＦＩＤタグ付き製品が前記カートに追加されるか、または前記ショッピングカートから取り出された場合に、それを判定するための１つまたは複数の内側ＲＦＩＤアンテナを備える少なくとも１つのかごＲＦＩＤリーダを備える、実施態様４８に記載の媒体強化されたショッピングカートシステム。
実施態様５２
ＲＦＩＤ干渉が減少するように、前記ショッピングカートが、実質的にプラスチックで構成される、実施態様５１に記載の媒体強化されたショッピングカートシステム。
実施態様５３
前記ショッピングカートが、前記ＲＦＩＤアンテナを備える前記かごＲＦＩＤリーダが後付けされた金属カートである、実施態様５１に記載の媒体強化されたショッピングカートシステム。
実施態様５４
前記買い物リストが、前記消費者が選択した１つまたは複数の製品に基づいて作成され、前記１つまたは複数の製品が、製品のバーコードをスキャンすること、前記ショッピングカートに製品を入れること、および前記消費者がリストにダウンロードすることのうち少なくとも１つによって前記消費者により選択される、実施態様４８に記載の媒体強化されたショッピングカートシステム。
実施態様５５
前記消費者により選択された前記１つまたは複数の製品が、消費者ＩＤを介して前記消費者に関連付けられ、前記消費者ＩＤが、お得意様カード、ＰＩＮコードおよび電話番号のうち少なくとも１つを備える、実施態様５４に記載の媒体強化されたショッピングカートシステム。
実施態様５６
前記お得意様カードが、バーコードをスキャンすること、ＲＦＩＤタグを読み取ること、および手動で入力することのうち少なくとも１つによって前記在庫構成要素により読み取られる、実施態様５５に記載の媒体強化されたショッピングカートシステム。
実施態様５７
１つまたは複数の広告を前記表示構成要素に表示するための広告構成要素をさらに備え、
前記相関構成要素は、前記広告構成要素からのデータを前記在庫構成要素、前記買い物リスト構成要素、またはその両方と相関させ、どの広告が表示されているか判定するように動作可能である、
実施態様４９に記載の媒体強化されたショッピングカートシステム。
実施態様５８
店内の対象に取り付けられたＲＦＩＤタグを読み取るためのＲＦＩＤリーダをさらに備え、前記コンピュータ装置が、前記ＲＦＩＤリーダからのデータを前記買い物リストと相関させて、前記ショッピングカートが前記製品の近傍にある場合に、前記買い物リスト上の製品の広告を表示するように動作可能であり、
前記対象が、棚、キオスク、柱、装備品、壁、カウンタ、貯蔵所、ＰＯＳシステム、ＳＫＵおよび製品のうち少なくとも１つを備える、
実施態様５７に記載の媒体強化されたショッピングカートシステム。
実施態様５９
前記在庫構成要素が、バーコード付き製品が前記カートに追加されるか、または前記ショッピングカートから取り出された場合に、それを判定するバーコードスキャナを備える、実施態様４に記載の媒体強化されたショッピングカートシステム。
実施態様６０
ショッピングカートに含まれる在庫を前記ショッピングカートに取り付けられた在庫構成要素で判定するステップと、
前記ショッピングカートに取り付けられたビデオディスプレイに、１つまたは複数の購入する製品を含む買い物リストを表示するステップと、
前記リストのどの製品が前記ショッピングカート内にあるかを判定するために、前記カートに取り付けられた組み込みコンピュータ装置によって、前記ショッピングカートに含まれる前記在庫を前記買い物リストに相関させるステップと、
前記在庫および前記買い物リストを小売業者のシステムに伝達するステップと、
を含む方法。
実施態様６１
前記在庫が、ＲＦＩＤかごスキャナおよびバーコードスキャナのうち少なくとも１つを備える、実施態様６０に記載の方法。
実施態様６２
製品を前記ショッピングカートに配置した時に、前記買い物リストに前記製品のチェックを付けるステップをさらに含む、実施態様６０に記載の方法。
実施態様６３
前記消費者によって選択された１つまたは複数の製品に基づいて前記買い物リストを作成するステップをさらに含む、実施態様６０に記載の方法。
実施態様６４
消費者識別子を介して前記消費者によって選択された前記製品を関連付けるステップをさらに含み、前記消費者識別子が、お得意様カード、ＰＩＮコードおよび郵便番号のうち少なくとも１つを備える、実施態様６３に記載の方法。
実施態様６５
前記在庫構成要素または手動入力によって前記消費者識別子を入力するステップをさらに含む、実施態様６４に記載の方法。
実施態様６６
前記コンピュータモジュールによって１つまたは複数の広告を、前記買い物リストおよび前記ショッピングカートに含まれる前記在庫のうち少なくとも１つと相関させるステップと、
前記１つまたは複数の広告と、前記買い物リスト、前記ショッピングカートに含まれる前記在庫、またはその両方との前記相関に基づいて１つまたは複数の広告を表示するステップと、
をさらに含む、実施態様６０に記載の方法。
実施態様６７
前記ショッピングカートに取り付けられたＲＦＩＤリーダによって、店内の棚、ＳＫＵ、または製品に取り付けられたＲＦＩＤタグを読み取るステップと、
前記ショッピングカートが前記製品の近傍に配置された場合に、前記買い物リストの製品の広告を表示するために、前記組み込みコンピュータ装置によって前記ＲＦＩＤリーダからのデータを前記買い物リストに相関させるステップと、
をさらに含む、実施態様６６に記載の方法。
実施態様６８
前記ＲＦＩＤリーダからのデータに基づいて、前記買い物リストに製品を配置するステップと、前記製品位置を前記ディスプレイに表示するステップと、
をさらに含む、実施態様６７に記載の方法。
実施態様６９
ショッピングカートを保管している間に電池に再充電するためのモジュール式再充電小仕切りシステムであって、
それぞれが、床部分と、前記床区間から上方向に延びる１つまたは複数の充電レールを備える１つまたは複数の小仕切り区間を備え、
各小仕切り区間が、隣接する囲いの対応する後端、前端、または側部と協働状態で嵌合して、複数の前後および／または横並びに嵌合する区画を有するカート小仕切りを形成するように構成された前端、後端、側部、またはその組合せを有するシステム。
実施態様７０
前記小仕切り区間がそれぞれ、隣接する区間と嵌合すると、前記嵌合区間の間に電気結合を提供する電気結合部を備える、実施態様６９に記載のシステム。
実施態様７１
前記充電レールが、前記ショッピングカートの１つまたは複数のホイールに、またはその近傍に配置された充電接点プレートと係合するように配置される、実施態様６９に記載のシステム。
実施態様７２
前記充電接点プレートが、前記ショッピングカートの後輪の内側に装着される、実施態様７１に記載のシステム。
実施態様７３
前記充電接点プレートが、可動接点プレートカバーに覆われ、前記接点プレートカバーは、前記ショッピングカートが前記小仕切り内に配置されている間に、前記充電接点プレートが前記充電レールと接触できるように、開位置へと動くように構成される、実施態様７２に記載のシステム。
実施態様７４
前記接点プレートカバーは、前記ショッピングカートが前記小仕切りから取り出されると、閉位置へと動き、それによって前記充電接点プレートを覆い、保護するように構成される、実施態様７３に記載のシステム。
実施態様７５
前記充電レールは、前記ショッピングカートが前記小仕切り内に配置されている場合、前記充電接点プレートを受ける溝またはスロットをさらに備える、実施態様７１に記載のシステム。
実施態様７６
前記小仕切りが、前記充電レールを電源に結合する電源インタフェースをさらに備える、実施態様７０に記載のシステム。
実施態様７７
前記小仕切り区間が、１つまたは複数の案内壁、案内レール、またはその両方をさらに備える、実施態様６９に記載のシステム。
実施態様７８
充電レールの構成要素、前記充電接点プレート、またはその両方は、その２つの間の電気接触を促進するためにばねが装填される、実施態様６９に記載のシステム。
実施態様７９
複数の媒体強化されたショッピングカートに充電するための方法であって、
前記カートに取り付けられ、前記カートの１つまたは複数の媒体強化機能に電力を供給するように動作可能である電池に電気的に結合された導電性充電板をカートに提供するステップと、
電源に電気結合された少なくとも１つの第１の導電性充電レールと、前記カートを自身内に配置するために１つまたは複数の案内溝を備える第１の床区画とを備える１次モジュール式充電ユニットを提供するステップと、
前記カートの前記誘電性充電板が、前記１次モジュール式充電ユニットの前記第１の電導性充電レールと接触するように、前記第１の床区画の前記案内溝に前記カートを配置するステップと、
前記少なくとも１つのカートの前記電導性充電板と、前記第１の電導性充電レールとの間に電気接続部を形成するステップと、
前記カートの前記電池に充電するために、前記電源から、前記１次モジュール充電ユニットの前記電導性充電レールおよび前記少なくとも１つのカートの前記導電性充電板を通して電流を流すステップと、
を含む方法。
実施態様８０
前記１次モジュール式充電ユニットの前記第１の導電性充電レールを介して、前記電源に電気結合された少なくとも１つの第２の導電性充電レールと、前記カートを前記２次モジュール式充電ユニット内に配置するために、１つまたは複数の案内溝を備える第２の床区画とを備える２次モジュール式充電ユニットを提供するステップをさらに含み、
前記２次モジュール式充電ユニットの前記導電性充電レールが、前記１次モジュール式充電ユニットの前記導電性充電レールに動作可能に結合し、前記第２の床区画が前記第１の床区画に結合し、さらに、
前記複数のショッピングカートそれぞれの前記導電性充電板が、前記１次モジュール式充電ユニットの前記第１の導電性充電レールおよび前記２次モジュール式充電ユニットの前記第２の導電性充電レールのうち少なくとも一方と接触するように、複数のショッピングカートを配置するステップと、
前記複数のショッピングカートそれぞれの前記導電性充電板と、前記１次モジュール式充電ユニットの前記第１の導電性充電レールおよび前記２次モジュール充電ユニットの前記第２の導電性充電レールのうち少なくとも一方との間に電気接続部を形成するステップと、
前記複数の販売カートそれぞれの前記電池を再充電するために、前記電源から前記１次モジュール充電ユニットの前記第１の導電性充電レール、前記２次モジュール充電ユニットの前記第２の導電性充電レール、および前記複数のショッピングカートの前記導電性充電板に通して電流を流すステップと、
を含む、実施態様７９に記載の方法。
実施態様８１
前記第１の導電性充電レールを前記第２の導電性充電レールに動作可能に結合することによって、前記１次モジュール式充電ユニットを前記２次モジュール式充電ユニットに嵌合させるステップと、
前記第１の床区画を前記第２の床区画に嵌合させるステップと、
をさらに含む、実施態様８０に記載の方法。
実施態様８２
ノーズに装着した表示構成要素を有する媒体強化されたショッピングカートであって、
フレームと、ハンドルと、ベーストレイと、複数のホイールと、かごとを備えるショッピングカートであって、前記かごが、底部と、２つの側壁と、前壁を備えるノーズと、後壁を備える後部とを備えるショッピングカートと、
中央演算装置と、メモリと、無線通信するように構成されたネットワーク送受信機とを備える組み込みコンピュータ装置であって、前記ショッピングカートに取り付けられた組み込みコンピュータ装置と、
ベースと、ハウジングと、可視領域を備える画面とを備える表示構成要素とを備え、
前記可視領域が、前記カートを押している消費者の視界に実質的に入るように、前記ディスプレイ構成要素が前記かごの前記ノーズに装着され、
前記組み込みコンピュータ装置が、前記表示構成要素内の表示媒体を制御するショッピングカート。
実施態様８３
前記表示構成要素が、前記かごの側壁の上縁、および前記前壁の上縁のうち少なくとも１つに装着される、実施態様８２に記載のかごに装着可能なビデオディスプレイおよびショッピングカート。
実施態様８４
前記表示媒体が、広告、買い物リスト、店の床配置図、顧客サービスインタフェース、およびカート在庫のうち少なくとも１つを備える、実施態様８２に記載のかごに装着可能なビデオディスプレイおよびショッピングカート。
実施態様８５
前記消費者の視界が、１）前記かごの前記側壁および前壁の前記上縁までの前記消費者の目からの第１の視線によって画定された下限と、２）前記消費者の視野の上部周辺までの前記消費者の前記目からの第２の視線によって画定された上限とによって画定される、実施態様８２に記載のかごに装着可能なビデオディスプレイおよびショッピングカート。
実施態様８６
前記可視領域が、その全体が前記視界内にある、実施態様８５に記載のかごに装着可能なビデオディスプレイおよびショッピングカート。
実施態様８７
５０％を越える前記可視領域が、前記視界内にある、実施態様８５に記載のかごに装着可能なビデオディスプレイおよびショッピングカート。
実施態様８８
前記表示構成要素が、前記側壁、前記前壁、前記後壁および前記底部によって画定された前記かごと蝶番接続して、その内部に折り畳まれ、
前記表示構成要素が折り畳まれている場合に、前記画面が前記ハウジングによって保護される、
実施態様８２に記載のかごに装着可能なビデオディスプレイおよびショッピングカート。
実施態様８９
前記表示構成要素が前記ハウジング内に後退し、
前記表示構成要素が後退している場合、前記画面が前記ハウジングによって保護される、
実施態様８２に記載のかごに装着可能なビデオディスプレイおよびショッピングカート。
実施態様９０
前記画面が、前記ベースに対して３６０°旋回する、実施態様８２に記載のかごに装着可能なビデオディスプレイおよびショッピングカート。
実施態様９１
前記表示構成要素が、加熱要素をさらに備え、前記画面が低温環境ですぐに動作可能であるように前記表示構成要素が加熱される、実施態様８２に記載のかごに装着可能なビデオディスプレイおよびショッピングカート。
実施態様９２
前記組み込みコンピュータ装置に動作可能に結合された１つまたは複数の動作センサをさらに備え、したがって前記カートが所定の期間だけ動作していないことを前記動作センサが検出すると、前記組み込みコンピュータ装置が前記表示構成要素を停止する、実施態様８２に記載のかごに装着可能なビデオディスプレイおよびショッピングカート。
実施態様９３
前記カートが動作していることを前記動作センサが検出すると、前記組み込みコンピュータ装置が前記表示構成要素を再起動する、実施態様９２に記載のかごに装着可能なビデオディスプレイおよびショッピングカート。
実施態様９４
前記表示構成要素が、取り付け装置で前記カートに装着され、前記取り付け装置が、１つまたは複数のクランプ、１つまたは複数の締結具、１つまたは複数のねじ、１つまたは複数のボルト、ニカワ、１つまたは複数の留め具、および１つまたは複数の接着剤のうち少なくとも１つを備える、実施態様８２に記載のかごに装着可能なビデオディスプレイおよびショッピングカート。
実施態様９５
ショッピングカートに取り付けられた組み込みコンピュータ装置に複数の広告を提供するステップと、
前記ショッピングカートのノーズに表示構成要素を装着するステップと、
消費者が前記カートを押している間に、前記表示構成要素の画面が少なくとも部分的に前記消費者の視界に入るように、１つまたは複数の前記広告を、前記ショッピングカートの前記ノーズに装着された前記表示構成要素に表示するステップと、
を含む広告表示方法。
実施態様９６
前記表示構成要素の前記画面が、実質的に前記消費者の前記視界に入るように、前記表示構成要素が前記カートに装着される、実施態様９５に記載の方法。
実施態様９７
前記消費者の背丈が５フィート（１５２．４ｃｍ）以上である場合に、前記表示構成要素の前記画面が、実質的に前記消費者の前記視界に入るように、前記表示構成要素が前記カートに装着される、実施態様９６に記載の方法。
実施態様９８
前記表示構成要素を前記ショッピングカートに装着するステップが、前記表示構成要素を、前記かごの側壁の上縁および前記前壁の上縁のうち少なくとも１つに装着するステップを含む、実施態様９５に記載の方法。
実施態様９９
前記表示構成要素を前記ショッピングカートに装着するステップが、前記表示構成要素を前記かごのノーズに装着するステップを含む、実施態様９５に記載の方法。
実施態様１００
前記カートが所定の期間だけ動作していない場合、前記表示構成要素を休止状態にするステップと、
前記カートが動作を再開すると、前記表示構成要素を休止状態モードから再起動するステップと、
をさらに含む、実施態様９５に記載の方法。
実施態様１０１
複数の広告を前記組み込みコンピュータ装置に提供するステップが、前記複数の広告を前記組み込みコンピュータ装置のメモリに記憶するか、または無線ネットワーク通信を介して前記複数の広告を前記組み込みコンピュータ装置に流すステップを含む、実施態様９５に記載の方法。
実施態様１０２
（ａ）フレームと、かごと、ハンドルと、ベーストレイと、複数のホイールとを備えるショッピングカートであって、前記かごが、底部と、２つの側壁と、前壁を備えるノーズと、後壁を備える後部とを備えるショッピングカートと、
（ｂ）中央演算装置と、メモリと、無線通信するように構成されたネットワーク送受信機とを備える組み込みコンピュータ装置であって、前記ショッピングカートに取り付けられた組み込みコンピュータ装置と、
（ｃ）前記カート上の構成要素に電力を供給するために、再充電式電池に電気的に結合した１つまたは複数の導電性充電板と、
（ｄ）前記カートに含まれる在庫を判定するための在庫構成要素と、
（ｅ）近接スキャンに基づいて、店内の前記カートの位置を判定するための位置決め構成要素と、
（ｆ）前記カートの一意のＩＤを関連付けるための識別構成要素と、
（ｇ）前記カートの前記ノーズに取り付けられ、ベースと、ハウジングと、可視領域を備える画面とを備える表示構成要素と、
を備え、
前記表示構成要素が前記組み込みコンピュータ装置に動作可能に結合され、
前記ハウジングが前記画面を損傷から保護するために、前記表示構成要素が前記かごの内部に折り畳まれるように、前記表示構成要素が蝶番結合され、
前記表示構成要素が、前記在庫構成要素によって判定されたカート内容物のリストを表示し、
前記表示構成要素が、前記位置決め構成要素によって判定された前記カートの前記位置に基づいて、１つまたは複数の広告を表示し、さらに、
（ｈ）前記表示構成要素に表示された１つまたは複数の選択肢の間でナビゲートするために、前記組み込みコンピュータ装置に動作可能に結合されるナビゲーション装置と、
（ｉ）前記組み込みコンピュータ装置、前記表示構成要素、および前記ナビゲーション装置に動作可能に結合された再充電式電池と、
を備える媒体強化されたショッピングカート。
実施態様１０３
前記組み込みコンピュータ装置が、前記かごの下に取り付けられる、実施態様１０２に記載の媒体強化されたショッピングカート。
実施態様１０４
前記組み込みコンピュータ装置が、前記表示構成要素に一体化される、実施態様１０２に記載の媒体強化されたショッピングカート。
実施態様１０５
前記在庫構成要素が、ＲＦＩＤタグ付き製品が前記カートに追加されるか、または前記カートから取り出された場合に、それを判定するための１つまたは複数の内部ＲＦＩＤアンテナを備える少なくとも１つの内部ＲＦＩＤリーダを備え、前記内部ＲＦＩＤリーダが、前記カートに含まれる前記在庫を判定するために、前記組み込みコンピュータ装置に動作可能に結合される、実施態様１０２に記載の媒体強化されたショッピングカート。
実施態様１０６
前記内部ＲＦＩＤリーダが、前記組み込みコンピュータ装置に一体化され、前記ＲＦＩＤアンテナが、前記表示構成要素の前記ベースに配置される、実施態様１０５に記載の媒体強化されたショッピングカート。
実施態様１０７
前記在庫構成要素が、前記カートに含まれる前記在庫を判定するように購入装置に品目を入力するために、前記組み込みコンピュータ装置に動作可能に結合されたバーコードスキャナを備える、実施態様１０２に記載の媒体強化されたショッピングカート。
実施態様１０８
前記バーコードスキャナが、前記ハンドルに取り付けられる、実施態様１０７に記載の媒体強化されたショッピングカート。
実施態様１０９
前記バーコードスキャナが、前記ハンドルの中心付近でポッド内の１つまたは複数の他の構成要素とともにグループ化される、実施態様１０８に記載の媒体強化されたショッピングカート。
実施態様１１０
前記バーコードスキャナが、前記ハンドルに一体化される、実施態様１０２に記載の媒体強化されたショッピングカート。
実施態様１１１
前記位置決め構成要素が、店内の対象に取り付けられた１つまたは複数のＲＦＩＤタグに対して前記カートの位置を判定するために、１つまたは複数の外部ＲＦＩＤアンテナを備える少なくとも１つの外部ＲＦＩＤリーダを備え、
前記外部ＲＦＩＤリーダが、前記組み込みコンピュータ装置に動作可能に結合される、実施態様１０２に記載の媒体強化されたショッピングカート。
実施態様１１２
前記外部ＲＦＩＤリーダが、前記組み込みコンピュータ装置に一体化され、前記ＲＦＩＤアンテナが、前記組み込みコンピュータ装置のハウジングのいずれかの側に取り付けられる、実施態様１０２に記載の媒体強化されたショッピングカート。
実施態様１１３
前記外部ＲＦＩＤリーダが、前記組み込みコンピュータ装置に一体化され、前記ＲＦＩＤアンテナが、前記表示構成要素のいずれかの側に取り付けられる、実施態様１０２に記載の媒体強化されたショッピングカート。
実施態様１１４
前記識別構成要素が、前記ショッピングカートの一意のＩＤを伝達するＲＦＩＤタグ、スキャンされた場合に、前記ショッピングカートの前記一意のＩＤを伝達するバーコード、または前記ショッピングカートの前記一意のＩＤを可視的に伝達するラベルのうち少なくとも１つを備え、前記識別構成要素が、前記カートの前記ノーズに取り付けられる、実施態様１０２に記載の媒体強化されたショッピングカート。
実施態様１１５
前記カートが所定の期間だけ動作していないことを自身が検出した場合に、前記表示構成要素を停止するための１つまたは複数の動作センサをさらに備える、実施態様１０２に記載の媒体強化されたショッピングカート。
実施態様１１６
前記カートが動作していることを前記１つまたは複数の動作センサが検出した場合に、前記組み込みコンピュータ装置が前記表示構成要素を再起動する、実施態様１１５に記載の媒体強化されたショッピングカート。
実施態様１１７
前記ナビゲーション装置が、前記ハンドル内のマイクロホンアレイを備える音声作動式インタフェースと、前記音声作動式インタフェースを作動させるための手段とを備える、実施態様１０２に記載の媒体強化されたショッピングカート。
実施態様１１８
前記音声作動式インタフェースを作動させるための前記手段が、プッシュツートーク専用ボタンである、実施態様１１７に記載の媒体強化されたショッピングカート。
実施態様１１９
前記ナビゲーション装置が、前記ハンドルの中心付近でポッド内の１つまたは複数の他の構成要素とともにグループ化される、実施態様１１７に記載の媒体強化されたショッピングカート。
実施態様１２０
前記ナビゲーション装置が、上方向にナビゲートするための第１の選択手段と、下方向にナビゲートするための第２の選択手段と、左方向にナビゲートするための第３の選択手段と、右方向にナビゲートするための第４の選択手段と、入力、選択またはキャンセルコマンドの第５の選択手段とを備える５方向ナビゲーション選択手段を備える、実施態様１０２に記載の媒体強化されたショッピングカート。
実施態様１２１
前記ナビゲーション装置が、前記ハンドル上に、一組の触覚ボタン、タッチパッドまたはジョイスティックを備える、実施態様１２０に記載の媒体強化されたショッピングカート。
実施態様１２２
前記ナビゲーション装置が、前記ハンドル上のポッド内の１つまたは複数の他の構成要素とともにグループ化される、実施態様１２０に記載の媒体強化されたショッピングカート。
実施態様１２３
１つまたは複数の広告が、定期的にダウンロードされ、前記組み込みコンピュータ装置の前記メモリに記憶される、実施態様１０２に記載の媒体強化されたショッピングカート。
実施態様１２４
１つまたは複数の広告が、前記ネットワーク送受信機を介して店内ネットワークから前記組み込みコンピュータ装置に無線で流される、実施態様１０２に記載の媒体強化されたショッピングカート。
実施態様１２５
（ａ）フレームと、かごと、ハンドルと、ベーストレイと、複数のホイールとを備えるショッピングカートであって、前記かごが、底部と、２つの側壁と、前壁を備えるノーズと、後壁を備える後部とを備えるショッピングカートと、
（ｂ）中央演算装置と、メモリと、無線通信するように構成されたネットワーク送受信機とを備える組み込みコンピュータ装置であって、前記ショッピングカートに取り付けられた組み込みコンピュータ装置と、
（ｃ）近接スキャンに基づいて、店内の前記カートの位置を判定するための位置決め構成要素と、
を備え、
前記位置決め構成要素が、店内の対象に取り付けられた１つまたは複数のＲＦＩＤタグに対して前記カートの位置を判定するために、１つまたは複数の外部ＲＦＩＤアンテナを備える少なくとも１つの外部ＲＦＩＤリーダを備え、前記外部ＲＦＩＤリーダが、前記組み込みコンピュータ装置に動作可能に結合され、さらに、
（ｄ）ベースと、ハウジングと、可視領域を備える画面とを備える表示構成要素を備え、
前記表示構成要素が、前記組み込みコンピュータ装置に動作可能に結合され、
前記表示構成要素が、前記位置決め構成要素によって判定された前記カートの前記位置に基づいて、１つまたは複数の広告を表示し、
前記組み込みコンピュータ装置が、前記位置決め構成要素により前記カートの前記位置の判定を補足して、前記判定された位置をさらに正確にする店舗インテリジェンス構成要素をさらに備える、
媒体強化されたショッピングカート。
実施態様１２６
前記１つまたは複数の外部ＲＦＩＤアンテナの少なくとも１つが、ＲＦＩＤタグを読み取るために狭い開口部を有するボウタイアンテナを備える、実施態様１２５に記載の媒体強化されたショッピングカート。
実施態様１２７
前記ボウタイアンテナの視界が、前記アンテナに対して約３０°から約４０°の幅、および約９０°の高さの領域に集中される、実施態様１２６に記載の媒体強化されたショッピングカート。
実施態様１２８
前記１つまたは複数の外部ＲＦＩＤアンテナの少なくとも１つが、ＲＦＩＤタグを読み取るために狭い開口部を有するスロットアンテナを備える、実施態様１２５に記載の媒体強化されたショッピングカート。
実施態様１２９
前記スロットアンテナの視界が、前記アンテナに対して約３０°から約４０°の幅、および約９０°の高さの領域に集中される、実施態様１２８に記載の媒体強化されたショッピングカート。
実施態様１３０
前記カートが、前記位置決め構成要素による前記カートの前記位置の判定を補足するために、前記カートが方向転換して移動する場合に、それを判定するように、前記店舗インテリジェンス構成要素と通信する磁気リードスイッチ装置をさらに備える、実施態様１２５に記載の媒体強化されたショッピングカート。
実施態様１３１
前記磁気リードスイッチ装置が、前記カートの前記ホイールの少なくとも２つに配置される、実施態様１３０に記載の媒体強化されたショッピングカート。
実施態様１３２
前記磁気リードスイッチ装置が、前記少なくとも２つのホイールのホイール毎に心拍信号を生成し、前記２つの心拍信号を比較して、差を求めることによって、前記カートが方向転換して移動する場合に、それを判定する、実施態様１３０に記載の媒体強化されたショッピングカート。
実施態様１３３
前記カートが、前記組み込みコンピュータモジュールにソフトウェアとして組み込まれて、前記店舗インテリジェンス構成要素と通信する自動利得制御モジュールをさらに備える、実施態様１２５に記載の媒体強化されたショッピングカート。
実施態様１３４
前記組み込みコンピュータ装置が、位置の分かっているＲＦＩＤタグのデータベースにアクセスし、前記自動利得制御モジュールが、前記カートが所与の位置に存在する場合は前記ＲＦＩＤアンテナによって読み取られるはずの、位置が分かっている前記ＲＦＩＤタグの少なくとも１つが容易に検出されない場合に、前記１つまたは複数の外部ＲＦＩＤアンテナへの伝送電力を増加させる、実施態様１３３に記載の媒体強化されたショッピングカート。
実施態様１３５
前記組み込みコンピュータ装置が、位置の分かっているＲＦＩＤタグのデータベースにアクセスし、前記カートが、前記ＲＦＩＤアンテナの読み取り距離内にあるとは前記読み取りＲＦＩＤタグが予想していない所与の位置にある場合に、位置が分かっている前記ＲＦＩＤタグの少なくとも１つが前記ＲＦＩＤアンテナによって読み取られると、前記自動利得制御モジュールが、前記１つまたは複数の外部ＲＦＩＤアンテナの伝送電力を減衰する、実施態様１３３に記載の媒体強化されたショッピングカート。
実施態様１３６
前記自動利得制御モジュールが、前記カートから所定の距離内にある全てのタグを読み取るために、前記１つまたは複数の外部ＲＦＩＤアンテナの感度を上げる、実施態様１３３に記載の媒体強化されたショッピングカート。
実施態様１３７
前記自動制御モジュールが、前記カートから所定の距離の外側でのタグの読み取りを無くすために、前記１つまたは複数の外部ＲＦＩＤアンテナの感度を下げる、実施態様１３３に記載の媒体強化されたショッピングカート。
実施態様１３８
前記自動利得制御モジュールは、前記カートが第２のカートまたは別のＲＦＩＤアンテナに非常に近接している場合に、前記１つまたは複数の外部ＲＦＩＤアンテナの感度を下げる、実施態様１３３に記載の媒体強化されたショッピングカート。
実施態様１３９
媒体強化されたショッピングカートの位置決め精度を上げるための方法であって、
１つまたは複数のＲＦＩＤアンテナおよびＲＦＩＤリーダを使用して、１つまたは複数のＲＦＩＤタグの近接スキャンに基づいて、カートの位置を判定するステップと、
前記近接スキャンで読み取られたＲＦＩＤタグのうちどのタグが、前記近接スキャンに含まれるか、またはそこから除外されるかの予想を判定するために、前記ＲＦＩＤタグの既知の位置のデータベースにアクセスするステップと、
前記近接スキャンに含まれると予想されるＲＦＩＤタグが読み取られ、前記近接スキャンから除外されると予想されるＲＦＩＤタグが読み取られないように、前記近接スキャンの感度を変更するために前記ＲＦＩＤアンテナの電力を調節するステップと、
前記ＲＦＩＤアンテナの前記調節された電力に基づいて、前記カートの前記位置に関するフィードバックをその後のスキャンに提供するステップと、
を含む方法。
実施態様１４０
前記カートが所与の位置にある場合に、前記ＲＦＩＤアンテナによる前記近接スキャンに含まれると予想される既知の位置にある前記ＲＦＩＤタグの少なくとも１つが容易に検出されない場合、前記１つまたは複数のＲＦＩＤアンテナの前記伝送電力を増加させるステップをさらに含む、実施態様１３９に記載の方法。
実施態様１４１
前記カートが所与の位置にある場合に、前記ＲＦＩＤアンテナによる前記近接スキャンから除外されると予想される既知の位置にある前記ＲＦＩＤタグの少なくとも１つが容易に検出される場合、前記１つまたは複数のＲＦＩＤアンテナの前記伝送電力を減衰するステップをさらに含む、実施態様１３９に記載の方法。
実施態様１４２
前記カートから所定の距離内に位置する全てのＲＦＩＤタグを読み取るために、前記１つまたは複数のＲＦＩＤアンテナの感度を上げるステップをさらに含む、実施態様１３９に記載の方法。
実施態様１４３
前記カートから所定の距離の外側にあるタグの読み取りを除外するために、前記１つまたは複数のＲＦＩＤアンテナの感度を下げるステップをさらに含む、実施態様１３９に記載の方法。
実施態様１４４
前記カートが第２のカートまたは別のＲＦＩＤアンテナと非常に近接している場合に、前記１つまたは複数のＲＦＩＤアンテナの感度を下げるステップをさらに含む、実施態様１３９に記載の方法。
実施態様１４５
（ａ）フレームと、かごと、ハンドルと、ベーストレイと、複数のホイールとを備えるショッピングカートであって、前記かごが、底部と、２つの側壁と、前壁を備えるノーズと、後壁を備える後部とを備えるショッピングカートと、
（ｂ）中央演算装置と、メモリと、無線通信するように構成されたネットワーク送受信機とを備える組み込みコンピュータ装置であって、前記ショッピングカートに取り付けられた組み込みコンピュータ装置と、
（ｃ）スキャナを備える前記カートに含まれる在庫を判定するための在庫構成要素と、
（ｄ）少なくとも１つのＲＦＩＤアンテナおよび少なくとも１つのＲＦＩＤリーダを備える近接スキャンに基づいて、店内の前記カートの位置を判定するための位置決め構成要素と、
（ｅ）ベースと、ハウジングと、可視領域を備える画面とを備える表示構成要素と、
（ｆ）電力を節約するために、前記カートが動作しているか否かに基づいて、（ｂ）、（ｃ）、（ｄ）および（ｅ）のうち少なくとも１つを休止状態にし、再起動するための動作検出構成要素と、
を含む媒体強化されたショッピングカートシステム。
実施態様１４６
前記動作検出構成要素が、磁気リードスイッチ装置を備え、前記カートの動作を示す前記ホイールの回転が、前記リードスイッチ部分を開閉するように、前記磁気リードスイッチ装置の磁気部分が、前記ホイールのうちの１つに結合され、前記磁気リードスイッチ装置の前記リードスイッチ部分が前記フレームに結合される、実施態様１４５に記載の媒体強化されたショッピングカートシステム。
実施態様１４７
前記動作検出構成要素は水銀柱スイッチを備え、該水銀柱スイッチは、前記カートの動作が水銀柱を混乱させた場合に開閉する、実施態様１４５に記載の媒体強化されたショッピングカートシステム。
実施態様１４８
前記動作検出構成要素が、前記カートから渡されるＲＦＩＤタグに基づいて、前記ＲＦＩＤリーダからの読み取りデータを使用する論理回答を備える、実施態様１４５に記載の媒体強化されたショッピングカートシステム。
実施態様１４９
前記動作検出構成要素は、前記カートが少なくとも所定の期間だけ動作していなかったことを前記動作検出構成要素が検出した場合に、前記組み込みコンピュータ装置を休止状態にするように動作可能であり、前記動作検出構成要素は、前記カートが動作していることを前記動作検出構成要素が検出した場合に、前記組み込みコンピュータ装置を再起動するように動作可能である、実施態様１４５に記載の媒体強化されたショッピングカートシステム。
実施態様１５０
前記動作検出構成要素は、前記カートが動作していることを前記動作検出構成要素が検出した場合に、前記在庫構成要素スキャナを休止状態にするように動作可能であり、前記動作検出構成要素は、前記カートが停止した場合に、前記在庫構成要素スキャナを再起動するように動作可能である、実施態様１４５に記載の媒体強化されたショッピングカートシステム。
実施態様１５１
前記動作検出構成要素は、前記カートが少なくとも所定の期間だけ動作していなかったことを前記動作検出構成要素が検出した場合に、前記位置決め構成要素ＲＦＩＤリーダを休止状態にするように動作可能であり、前記動作検出構成要素は、前記カートが動作していることを前記動作検出構成要素が検出した場合に、前記位置決め構成要素ＲＦＩＤリーダを再起動するように動作可能である、実施態様１４５に記載の媒体強化されたショッピングカートシステム。
実施態様１５２
前記動作検出構成要素は、前記カートが少なくとも所定の期間だけ動作していなかったことを前記動作検出構成要素が検出した場合に、前記表示構成要素を休止状態にするように動作可能であり、前記動作検出構成要素は、前記カートが動作していることを前記動作検出構成要素が検出した場合に、前記表示構成要素を再起動するように動作可能である、実施態様１４５に記載の媒体強化されたショッピングカートシステム。
実施態様１５３
媒体強化されたショッピングカートの電力管理方法であって、
前記媒体強化されたショッピングカートの動作を検出するステップと、
前記カートが動作しているか否かに基づいて、前記媒体強化されたショッピングカートの１つまたは複数の電子構成要素を選択的に休止状態にするか、または再起動するステップと、
を含む方法。
実施態様１５４
前記媒体強化されたショッピングカートの動作を検出するステップが、前記カートのホイールに磁石を設けるステップと、前記カートの前記フレームに磁気リードスイッチを設けるステップと、前記磁石が前記磁気リードスイッチを開閉した場合に、前記カートが動作していることを示すステップと、
を含む、実施態様１５３に記載の方法。
実施態様１５５
前記カートが動作しているか否かに基づいて、１つまたは複数の電子構成要素を選択的に休止状態にするか、または再起動するステップが、前記カートが少なくとも所定の期間だけ動作していなかった場合に、前記カートの組み込みコンピュータ装置を休止状態にするステップと、前記カートが動作している場合に、前記組み込みコンピュータ装置を再起動するステップと、
を含む、実施態様１５３に記載の方法。
実施態様１５６
前記カートが動作しているか否かに基づいて、１つまたは複数の電子構成要素を選択的に休止状態にするか、または再起動するステップが、前記カートが動作している場合に、前記カートの在庫構成要素スキャナを休止状態にするステップと、前記カートが停止している場合に、前記在庫構成要素スキャナを再起動するステップと、
を含む、実施態様１５３に記載の方法。
実施態様１５７
前記カートが動作しているか否かに基づいて、１つまたは複数の電子構成要素を選択的に休止状態にするか、または再起動するステップが、前記カートが少なくとも所定の期間だけ動作していなかった場合に、前記カートの位置決め構成要素ＲＦＩＤリーダを休止状態にするステップと、前記カートが動作している場合に、前記位置決め構成要素ＲＦＩＤリーダを再起動するステップと、
を含む、実施態様１５３に記載の方法。
実施態様１５８
前記カートが動作しているか否かに基づいて、１つまたは複数の電子構成要素を選択的に休止状態にするか、または再起動するステップが、前記カートが所定の期間だけ動作していなかった場合に、前記カートの表示構成要素を休止状態にするステップと、前記カートが動作している場合に、前記表示構成要素を再起動するステップと、
を含む、実施態様１５３に記載の方法。
実施態様１５９
媒体強化されたショッピングカートの盗難および改竄を抑止するための方法であって、
カスタム化した接続または装着方式を使用して、前記媒体強化されたショッピングカートの１つまたは複数の電子構成要素を前記媒体強化されたショッピングカートに固定し、したがって前記カスタム化した接続または装着方式で、カスタム化した工具なしに、前記電子構成要素を外すと、前記電子構成要素に不可逆性の損傷を与えることになるステップを含む方法。
実施態様１６０
前記固定された電子構成要素が、装着するために使用される１つまたは複数の穴のすぐ近傍に配置された重要な回路トレースを有する組み込みコンピュータモジュールの論理基板を備え、前記カスタム化した接続または装着方式が、前記カスタム化した工具によってのみ設置可能且つ、除去可能なカスタム化したねじを備え、前記カスタム化した工具なしに前記論理基板を外すと、装着に使用される前記穴のすぐ近傍に配置された前記重要な回路トレースに不可逆的な損傷を与えることになる、実施態様１５９に記載の方法。
実施態様１６１
カスタム化した接続または装着方式で保持構成要素を装着するステップをさらに含み、前記固定された電子構成要素が、ＬＣＤディスプレイとＬＣＤ制御装置基板を結合するフレキシブル回路を備え、前記保持構成要素が、前記フレキシブル回路を所定の位置に固定する保持バーを備え、前記カスタム化した工具なしに前記保持構成要素を外すと、前記フレキシブル回路に不可逆性の損傷を与えることになる、実施態様１５９に記載の方法。
実施態様１６２
媒体強化されたショッピングカートの盗難および改竄を抑止するための方法であって、
選択された順序で、前記媒体強化されたショッピングカートの１つまたは複数の電子構成要素を前記媒体強化されたショッピングカートに固定し、したがって前記選択された順序以外の順序で前記電子構成要素を外すと、前記電子構成要素に不可逆性の損傷を与えることになるステップを含む方法。
実施態様１６３
前記選択された順序で保持構成要素を装着するステップをさらに含み、前記固定された電子構成要素が、ＬＣＤディスプレイとＬＣＤ制御装置基板を結合するフレキシブル回路とを備え、前記保持構成要素が、前記フレキシブル回路を所定の位置に固定する保持バーを備え、前記選択された順序以外の順序で前記保持構成要素を外すと、前記フレキシブル回路に不可逆性の損傷を与えることになる、実施態様１６２に記載の方法。
実施態様１６４
少なくとも中央演算装置と、店舗のデータを記憶するデータサーバと、棚管理モジュールとを備える店舗コンピュータシステムを備え、
店舗データが、店舗の在庫と、前記店舗の店舗価格と、１つまたは複数のアンカーＲＦＩＤタグおよび店舗の装備品の位置を含む店舗の基本地図と、前記店舗在庫の１つまたは複数の製品の前記位置とを備え、
前記棚管理モジュールが、店舗在庫、前記店舗の基本地図、および店舗価格の少なくとも１つをカートによって変更できるようにするために、前記店舗データを媒体強化されたショッピングカートに伝達するように動作可能であり、
前記媒体強化されたショッピングカートが、
フレームと、かごと、ハンドルと、ベーストレイと、複数のホイールと、かごとを備えるショッピングカートと、
中央演算装置と、メモリと、前記店舗コンピュータシステムと無線通信するように構成されたネットワーク送受信機とを備える組み込みコンピュータ装置であって、前記ショッピングカートに取り付けられ、前記棚管理モジュールから店舗データを受信する組み込みコンピュータ装置と、
前記１つまたは複数のアンカーＲＦＩＤタグに対する店内の前記カートの位置を判定し、店舗データの特定の点に対する前記カートの前記位置を判定するように動作可能である位置決め構成要素と、
前記カートに取り付けられ、ベースと、ハウジングと、可視領域を備える画面とを備え、店舗データの特定の点に対する前記カートの前記位置を表示するように動作可能である表示構成要素と、
を備え、
それによって店舗在庫、前記店舗の基本地図、および店舗価格のうち少なくとも１つをカートによって変更できるように、店舗データの前記特定の点に関連する位置に、前記カートの使用者を案内する、
システム。
実施態様１６５
前記媒体強化されたショッピングカートが、前記カートにより可能な変更を実現するために、前記カートの前記使用者が店舗データの前記特定の点に関連する前記位置に到達したことを確認するように、ＲＦＩＤタグおよびバーコードラベルの少なくとも１つをスキャンするための確認構成要素をさらに備える、実施態様１６４に記載のシステム。
実施態様１６６
前記媒体強化されたショッピングカートが、店舗データの前記特定の点に関連するラベルを印刷するように動作可能である前記組み込みコンピュータ装置に結合したプリンタをさらに備え、店舗データの前記特定の点の前記位置に前記ラベルを取り付けると、少なくとも部分的に前記カートにより可能な変更が実施される、実施態様１６４に記載のシステム。
実施態様１６７
前記組み込みコンピュータ装置は、カートにより可能な変更が終了した場合に、終了を示す信号を前記店舗システムに伝達する、実施態様１６４に記載のシステム。
実施態様１６８
前記カートにより可能な変更が、店舗在庫の更新、店舗価格への価格変更、前記店舗の基本地図にある少なくとも１つのアンカーＲＦＩＤタグの位置変更、および前記店舗在庫の少なくとも１つまたは複数の製品の位置変更のうち少なくとも１つである、実施態様１６４に記載のシステム。
実施態様１６９
前記位置決め構成要素が、前記アンカーＲＦＩＤタグおよび製品ＲＦＩＤタグをスキャンし、前記組み込みコンピュータ装置が、前記スキャンを前記店舗システムに伝達して、店舗データを更新する、実施態様１６４に記載のシステム。
実施態様１７０
既知の位置に配置された複数のアンカーＲＦＩＤタグに基づいて、店舗の地図を作成するステップと、
販売用に前記店内で製品を配置構成する場合に、前記製品が既知の位置と関連するように、前記製品を少なくとも１つのアンカーＲＦＩＤタグと関連させるステップとを含み、前記製品が、１）製品ＲＦＩＤタグおよび２）ＳＫＵ  ＲＦＩＤタグの少なくとも１つと関連付けられ、さらに、１）前記製品が、前記製品の関連付けられた同じ既知の位置にまだ位置しているか確認すること、または２）前記製品が移動している場合に、前記製品が関連付けられた前記既知の位置を更新することのうち少なくとも一方のために、スキャンによって前記店内の前記製品の位置を特定するステップを含む、棚管理および在庫管理方法。
実施態様１７１
カートによって可能な、製品を棚に載せ、棚に載せ替える方法であって、
製品をスキャンするステップと、
前記カートの位置を判定するステップと、
前記製品に関連する位置を、前記カートの前記位置に対して判定するステップと、
前記製品に関連する前記位置で、前記製品を棚に載せられるようにするために、前記カートの前記位置に対して前記製品の少なくとも前記位置を表示するステップと、
を含む方法。
実施態様１７２
前記カートを前記表示位置に案内するステップと、１）前記表示位置で既に棚に載せられた製品と、２）前記表示位置の識別子との少なくとも一方をスキャンすることにより、前記表示位置が前記製品に関連付けられた前記位置であることを確認するステップとをさらに含み、前記識別子が、ラベルおよびＲＦＩＤタグのうち一方である、実施態様１７１に記載の方法。
実施態様１７３
カートによって可能な価格変更の実施方法であって、
製品に新価格を示すステップと、
媒体強化されたショッピングカートで、前記製品に関連付けられた位置を特定するステップと、
媒体強化されたショッピングカートで、前記製品に関連付けられた前記位置を確認するステップと、
前記製品の前記新価格を動的に実施するステップと、
を含む方法。
実施態様１７４
前記新価格を示すステップが、前記新価格を店舗システムに入力し、前記新価格が前記店内で物理的に施行されているか確認されるステップを含む、実施態様１７３に記載の方法。
実施態様１７５
前記媒体強化されたショッピングカートで、前記製品に関連付けられた前記位置を特定するステップが、前記製品をスキャンするステップと、前記関連付けられた位置を確認するために、前記店舗システムにアクセスするステップと、前記店内で前記カートの位置を特定するステップと、前記カートに対して前記関連付けられた位置を特定するステップとを含む、実施態様１７３に記載の方法。
実施態様１７６
前記製品に関連付けられた前記位置を、前記媒体強化されたショッピングカートのディスプレイに表示するステップをさらに含む、実施態様１７３に記載の方法。
実施態様１７７
前記製品の関連付けられた前記位置を確認するステップが、前記表示位置で製品識別子をスキャンするステップと、前記スキャンされた製品識別子を前記製品と比較するステップとを含み、前記製品識別子が、ＳＫＵラベル、バーコード、およびＲＦＩＤタグのうち１つである、実施態様１７６に記載の方法。
実施態様１７８
前記製品の関連付けられた前記位置を確認するステップが、前記関連付けられた位置の前記製品識別子を前記製品と比較するステップを含み、前記製品識別子がＳＫＵラベルである、実施態様１７３に記載の方法。
実施態様１７９
前記製品の前記新価格を動的に施工するステップが、前記新価格を有する新しいラベルを印刷するステップと、
前記新しいラベルを前記関連付けられた位置に配置するステップと、
前記新価格が前記新しいラベルで前記店内に物理的に施工されていることを前記店舗システムに確認のために伝達するステップと、
を含む、実施態様１７４に記載の方法。
実施態様１８０
前記新価格が動的に施工された場合、ＰＯＳで前記新価格を請求するステップをさらに含む、実施態様１７３に記載の方法。
実施態様１８１
店舗構成の電子的表示を構築するための方法であって、
前記店内の装備品の位置、方向および寸法を含む物理的店舗構成の電子的表示を作成するステップと、
前記物理的店舗構成の前記電子的表示内に、複数の仮想位置を配置するステップと、
前記物理的店舗構成の前記電子的表示内で、前記仮想位置をそれぞれ１つまたは複数のＲＦＩＤタグと関連付けるステップと、
前記ＲＦＩＤタグおよび仮想位置の読み取り値の在庫を作成するために、ＲＦＩＤタグの前記物理的店舗構成をスキャンするステップと、
前記物理的店舗構成内でカートの前記位置を判定するために、前記スキャンを分析するステップと、
を含む方法。
実施態様１８２
前記店舗構成の前記電子的表示が、１）一連のデータベース項目、および２）ＸＭＬドキュメントのうち少なくとも１つを備える、実施態様１８１に記載の方法。
実施態様１８３
前記ＲＦＩＤタグが、能動的ＲＦＩＤタグおよび受動的ＲＦＩＤタグのうち一方である、実施態様１８１に記載の方法。
実施態様１８４
スキャンが、媒体強化されたショッピングカートに取り付けられたＲＦＩＤリーダおよびＲＦＩＤアンテナによって実行される、実施態様１８１に記載の方法。
実施態様１８５
スキャンが一定の間隔で実行される、実施態様１８１に記載の方法。
実施態様１８６
前記スキャンを分析するステップが、少なくとも１つの位置決めインテリジェンス論理規則を、前記物理的店舗構成の前記スキャンで得られた読み取り値の前記在庫に適用するステップをさらに含む、実施態様１８１に記載の方法。
実施態様１８７
少なくとも１つの位置決めインテリジェンス論理規則を適用するステップが、前記ＲＦＩＤ近接スキャンデータの中から、新規の最新読み取り値を古い最新読み取り値よりも優先させるステップを含み、所与の読み取り値が新規か古いかを判定するために、読み取り値の閾値期限が使用される、実施態様１８６に記載の方法。
実施態様１８８
少なくとも１つの位置決めインテリジェンス論理規則を適用するステップが、低い読み取り量の期間より高い読み取り量の期間からの読み取り値を優先させるステップを含み、所与の読み取り値が、高い読み取り量の期間で発生したか、または低い読み取り量の期間で発生したかは、前記期間中の読み取り値の数が読み取り値の閾値を超えたか否かによって決定される、実施態様１８６に記載の方法。
実施態様１８９
少なくとも１つの位置決めインテリジェンス論理規則を適用するステップが、相互に近似していない読み取り値より相互に近似している読み取り値を優先するステップを含み、２つの読み取り値が相互に近似しているか否かは、２つの読み取り値の間の距離が閾値距離より小さいか否かに基づいて決定される、実施態様１８６に記載の方法。
実施態様１９０
少なくとも１つの位置決めインテリジェンス論理規則を適用するステップが、前記物理的店舗構成の知識に基づいて前記在庫からスプリアス読み取り値を削除するステップを含む、実施態様１８６に記載の方法。
実施態様１９１
少なくとも１つの位置決めインテリジェンス論理規則を適用するステップが、前記物理的店舗構成の知識に基づいて前記在庫から過渡的読み取り値を削除するステップを含む、実施態様１８６に記載の方法。
実施態様１９２
少なくとも１つの位置決めインテリジェンス論理規則を適用するステップが、アンテナの特性を考慮するステップと、アンテナの特性に従って、前記スキャンの予想された読み取りゾーン内に入らない読み取り値を削除するステップとを含む、実施態様１８６に記載の方法。
実施態様１９３
前記物理的店舗構成内でカートの前記位置を判定するために前記スキャンを分析するステップが、前記物理的店舗構成内の前記カートの平均座標位置を計算するステップをさらに含む、実施態様１８６に記載の方法。
実施態様１９４
前記カートの前記計算された平均座標位置を最も近い仮想位置と比較することによって、前記カートの前記判定された位置にフィードバックを提供するステップをさらに含む、実施態様１９３に記載の方法。
実施態様１９５
コンピュータシステムで実行した場合に、前記コンピュータの動作を制御することができるソフトウェア命令の実行可能なセットを記憶するためのコンピュータ可読記憶媒体であって、前記ソフトウェア命令は、店内で媒体強化されたショッピングカートの位置を特定するように動作可能であり、前記ソフトウェア命令が、
前記店内の装備品の位置、方向および寸法を含む物理的店舗構成の電子的表示を作成することと、
前記物理的店舗構成の前記電子的表示内に、複数の仮想位置を配置することと、
前記物理的店舗構成の前記電子的表示内で、前記仮想位置をそれぞれ１つまたは複数のＲＦＩＤタグと関連付けることと、
前記ＲＦＩＤタグおよび前記仮想位置の読み取り値の在庫を作成するために、ＲＦＩＤタグに対して前記物理的店舗構造をスキャンすることと、
前記物理的店舗構成内でカートの前記位置を判定するために、前記スキャンを分析することと、
を含むコンピュータ可読記憶媒体。
実施態様１９６
前記スキャンを分析する前記ソフトウェア命令が、少なくとも１つの位置決めインテリジェンス論理規則を、前記物理的店舗構成の前記スキャンで得られた読み取り値の前記在庫に適用することをさらに含む、実施態様１９５に記載のソフトウェア命令の実行可能なセットを記憶するためのコンピュータ可読記憶媒体。
実施態様１９７
少なくとも１つの位置決めインテリジェンス論理規則を適用する前記ソフトウェア命令が、前記ＲＦＩＤ近接スキャンデータの中で、新規の最新読み取り値を古い最新読み取り値を優先することを含み、所与の読み取り値が新規か古いかを判定するために、読み取り値の閾値期限が使用される、実施態様１９６に記載のソフトウェア命令の実行可能なセットを記憶するためのコンピュータ可読記憶媒体。
実施態様１９８
少なくとも１つの位置決めインテリジェンス論理規則を適用する前記ソフトウェア命令が、低い読み取り量の期間より高い読み取り量の期間からの読み取り値を優先させることを含み、所与の読み取り値が、高い読み取り量の期間で発生したか、または低い読み取り量の期間で発生したかは、前記期間中の読み取り値の数が読み取り値の閾値を超えたか否かによって決定される、実施態様１９６に記載のソフトウェア命令の実行可能なセットを記憶するためのコンピュータ可読記憶媒体。
実施態様１９９
少なくとも１つの位置決めインテリジェンス論理規則を適用する前記ソフトウェア命令が、相互に近似していない読み取り値より相互に近似している読み取り値を優先することを含み、２つの読み取り値が相互に近似しているか否かは、２つの読み取り値の間の距離が閾値距離より小さいか否かに基づいて決定される、実施態様１９６に記載のソフトウェア命令の実行可能なセットを記憶するためのコンピュータ可読記憶媒体。
実施態様２００
少なくとも１つの位置決めインテリジェンス論理規則を適用する前記ソフトウェア命令が、前記物理的店舗構成の知識に基づいて前記在庫からスプリアス読み取り値を削除することを含む、実施態様１９６に記載のソフトウェア命令の実行可能なセットを記憶するためのコンピュータ可読記憶媒体。
実施態様２０１
少なくとも１つの位置決めインテリジェンス論理規則を適用する前記ソフトウェア命令が、前記物理的店舗構成の知識に基づいて前記在庫から過渡的読み取り値を削除することを含む、実施態様１９６に記載のソフトウェア命令の実行可能なセットを記憶するためのコンピュータ可読記憶媒体。
実施態様２０２
少なくとも１つの位置決めインテリジェンス論理規則を適用する前記ソフトウェア命令が、アンテナの特性を考慮することと、アンテナの特性に従って、前記スキャンの予想された読み取りゾーン内に入らない読み取り値を削除することとを含む、実施態様１９６に記載のソフトウェア命令の実行可能なセットを記憶するためのコンピュータ可読記憶媒体。
実施態様２０３
前記物理的店舗構成内でカートの前記位置を判定するために前記スキャンを分析する前記ソフトウェア命令が、前記物理的店舗構成内の前記カートの平均座標位置を計算することをさらに含む、実施態様１９６に記載のソフトウェア命令の実行可能なセットを記憶するためのコンピュータ可読記憶媒体。
実施態様２０４
前記ソフトウェア命令が、さらに、前記カートの前記計算された平均座標位置を最も近い仮想位置と比較することによって、前記カートの前記判定された位置にフィードバックを提供することをさらに含む、実施態様２０３に記載のソフトウェア命令の実行可能なセットを記憶するためのコンピュータ可読記憶媒体。